(57)【要約】【課題】  合成樹脂製シートの巻き付け中に巻付体が突然折れたり曲がったりする可能性を低くする。【解決手段】  シート巻付体構成金属管３２は、管状の金属製大径部４０と管状の金属製小径部４２とを備える。金属製大径部４０の内部空間５０にはシート巻付体構成金属管３２の一端が挿入される。金属製大径部４０に開閉シートが接続される。金属製小径部４２は金属製大径部４０に連なる。金属製小径部４２の内部空間５２は金属製大径部４０の内部空間５０と連通する。金属製小径部４２の外径が金属製大径部４０の内径より小さい。金属製小径部４２は一端金属管の一端に挿入される。シート巻付体構成金属管３２は、大径内周塗膜部６４と連通路内周塗膜部７４と小径内周塗膜部８４とをさらに備える。大径内周塗膜部６４と連通路内周塗膜部７４と小径内周塗膜部８４とは、金属製大径部４０の内周面から金属製小径部４２の内周面までの区間を覆う。【選択図】      図４
2019107008.tif 000002
【特許請求の範囲】
【請求項１】
他の管の一端が挿入される内部空間を形成し、かつ、合成樹脂製シートが接続される管状の金属製大径部と、
前記金属製大径部に連なり、前記金属製大径部の内部と連通する内部空間を形成し、内径が前記金属製大径部の外径より小さく、かつ、前記他の管とは別の管の一端に挿入されるための管状の金属製小径部とを備える、シート巻付体構成金属管であって、
前記金属製大径部の内周面から前記金属製小径部の内周面までの区間のいずれかの箇所を覆う内周塗膜と、
前記金属製小径部に近い箇所ほど窄まっており前記金属製小径部の前記内部空間を前記金属製大径部の前記内部空間に連通させる管状の金属製連通部とをさらに備え、
前記金属製連通部が、
管状の連通路構造部と、
前記連通路構造部の内周面表面に設けられる連通路内周メッキ層とを有しており、
前記内周塗膜が、前記連通路内周メッキ層全体を覆うことを特徴とするシート巻付体構成金属管。
【請求項２】
前記金属製小径部が、
管状の小径構造部と、
前記小径構造部の内周面表面に設けられる小径内周メッキ層とを有しており、
前記内周塗膜が、前記連通路内周メッキ層全体に加え、前記小径内周メッキ層を覆うことを特徴とする請求項１に記載のシート巻付体構成金属管。
【請求項３】
前記金属製大径部が、
管状の大径構造部と、
前記大径構造部の内周面表面に設けられる大径内周メッキ層とを有しており、
前記内周塗膜が、前記連通路内周メッキ層全体および前記小径内周メッキ層に加え前記大径内周メッキ層を覆うことを特徴とする請求項２に記載のシート巻付体構成金属管。
【請求項４】
シート巻付体構成金属管と、
前記シート巻付体構成金属管の一端が接続される他の管と、
前記シート巻付体構成金属管の他端が接続される、前記他の管とは別の管とを備え、
前記シート巻付体構成金属管が、
前記他の管の一端が挿入される内部空間を形成し、かつ、合成樹脂製シートが接続される管状の金属製大径部と、
前記金属製大径部に連なり、前記金属製大径部の内部と連通する内部空間を形成し、内径が前記金属製大径部の外径より小さく、かつ、前記他の管とは別の前記管の一端に挿入されるための管状の金属製小径部とを備える合成樹脂製シート巻付体であって、
前記シート巻付体構成金属管が、前記金属製大径部の内周面から前記金属製小径部の内周面までの区間のいずれかの箇所を覆う内周塗膜と、
前記金属製小径部に近い箇所ほど窄まっており前記金属製小径部の前記内部空間を前記金属製大径部の前記内部空間に連通させる管状の金属製連通部とをさらに備え、
前記金属製連通部が、
管状の連通路構造部と、
前記連通路構造部の内周面表面に設けられる連通路内周メッキ層とを有しており、
前記内周塗膜が、前記連通路内周メッキ層全体を覆うことを特徴とする合成樹脂製シート巻付体。
【発明の詳細な説明】
【技術分野】
【０００１】
本発明はシート巻付体構成金属管および合成樹脂製シート巻付体に関する。特に、農業用ビニールハウスの一部である合成樹脂シートを巻くためのシート巻付体構成金属管および合成樹脂製シート巻付体に関する。
【背景技術】
【０００２】
特許文献１はビニールハウスを開示する。そのビニールハウスは、合成樹脂製シートと合成樹脂製シート巻付体と巻上装置とを備える。巻上装置が巻付体を回す。合成樹脂製シート巻付体には合成樹脂製シートが接続されている。合成樹脂製シート巻付体が回されると、合成樹脂製シートが合成樹脂製シート巻付体に巻き付けられる。合成樹脂製シートが巻き付けられるに伴って、巻上装置と合成樹脂製シート巻付体とは上昇する。巻上装置と合成樹脂製シート巻付体とが上昇すると、そのビニールハウスに開口部が現れる。そのビニールハウスに開口部が現れることで、そのビニールハウスの換気が可能になる。
【先行技術文献】
【特許文献】
【０００３】
【特許文献１】特開２０００−１２５６７３号公報
【発明の概要】
【発明が解決しようとする課題】
【０００４】
特許文献１に開示されたビニールハウスでは、時折、合成樹脂製シートの巻き付け中に合成樹脂製シート巻付体が突然折れたり曲がったりすることがある。合成樹脂製シート巻付体が突然折れたり曲がったりするとビニールハウスの換気が不可能になってしまう。
【０００５】
本発明は、この問題点を解消するものである。その目的は、合成樹脂製シートの巻き付け中に合成樹脂製シート巻付体が突然折れたり曲がったりする可能性を低くすることにある。
【課題を解決するための手段】
【０００６】
図面を参照し本発明を説明する。なおこの欄で図中の符号を使用したのは発明の内容の理解を助けるためである。この欄で図中の符号を使用することには発明の内容を図示した範囲に限定する意図がない。
【０００７】
上述した目的を達成するために、本発明のある局面に従うと、シート巻付体構成金属管３２は、管状の金属製大径部４０と、管状の金属製小径部４２とを備える。金属製大径部４０は、次に述べられる内部空間５０を形成する。その内部空間５０は他の管の一端が挿入されるものである。金属製大径部４０に合成樹脂製シート１６が接続される。金属製小径部４２は、金属製大径部４０に連なる。金属製小径部４２は、次に述べられる内部空間５２を形成する。その内部空間５２は、金属製大径部４０の内部空間５０と連通するものである。金属製小径部４２の外径が金属製大径部４０の内径より小さい。金属製小径部４２は上述された他の管とは別の管の一端に挿入される。シート巻付体構成金属管３２は、内周塗膜６４，７４，８４と、金属製連通部４４とをさらに備える。内周塗膜６４，７４，８４は、金属製大径部４０の内周面から金属製小径部４２の内周面までの区間のいずれかの箇所を覆う。金属製連通部４４は、金属製小径部４２に近い箇所ほど窄まっている。金属製連通部４４は、金属製小径部４２の内部空間５２を金属製大径部４０の内部空間５０に連通させる。金属製連通部４４は、管状の連通路構造部７０と連通路内周メッキ層７２とを有する。連通路内周メッキ層７２は連通路構造部７０の内周面表面に設けられる。内周塗膜７４が、連通路内周メッキ層７２全体を覆う。
【０００８】
内周塗膜６４，７４，８４は金属製大径部４０の内周面から金属製小径部４２の内周面までの区間のいずれかの箇所を覆う。内周塗膜７４が、連通路内周メッキ層７２全体を覆う。内周塗膜６４，７４，８４に覆われた箇所は、内周塗膜６４，７４，８４に覆われていない箇所に比べ、腐食しにくくなる。腐食しにくいので、内周塗膜６４，７４，８４に覆われた箇所は、他の管の一端が挿入された箇所と他の管とは別の管の一端に挿入された箇所とのうち少なくとも一方から雨水その他の水が浸入してもその水に起因する腐食が生じにくくなる。その水に起因する腐食が生じにくくなると、その腐食に起因する強度低下が生じにくくなる。腐食に起因する強度低下が生じにくい箇所が存在すると、そのような箇所がない場合に比べ、シート巻付体構成金属管３２は突然折れたり曲がったりしにくくなる。シート巻付体構成金属管３２を一部とする合成樹脂製シート巻付体２２は、そうでない合成樹脂製シート巻付体に比べ、突然折れたり曲がったりする可能性が低くなる。その結果、合成樹脂製シートの巻き付け中に合成樹脂製シート巻付体が突然折れたり曲がったりする可能性を低くできる。
【０００９】
また、上述した金属製小径部４２が、管状の小径構造部８０と小径内周メッキ層８２とを有していることが望ましい。小径内周メッキ層８２は、小径構造部８０の内周面表面に設けられる。この場合、内周塗膜８４が連通路内周メッキ層７２全体に加え小径内周メッキ層８２を覆うことが望ましい。
【００１０】
外径が小さいため、金属製小径部４２は、金属製大径部４０に比べてねじりに起因する変形が生じやすくなる。連通路内周メッキ層７２全体に加え小径内周メッキ層８２が内周塗膜８４で覆われていると、小径内周メッキ層８２で覆われていない箇所が内周塗膜８４で覆われている場合に比べ、小径内周メッキ層８２が設けられている箇所の腐食が生じにくくなる。腐食が生じにくいと、腐食に起因する強度低下が生じにくくなる。
【００１１】
もしくは、上述した金属製大径部４０が、管状の大径構造部６０と、大径内周メッキ層６２とを有していることが望ましい。大径内周メッキ層６２は、大径構造部６０の内周面表面に設けられる。この場合、内周塗膜６４が連通路内周メッキ層７２全体および金属製小径部４２に加え大径内周メッキ層６２を覆うことが望ましい。
【００１２】
連通路内周メッキ層７２全体および金属製小径部４２に加えて金属製大径部４０でも腐食に起因する強度低下が生じにくくなると、そうでない場合に比べ、腐食に起因する強度低下が生じにくくなる。
【００１３】
本発明の他の局面に従うと、合成樹脂製シート巻付体２２は、シート巻付体構成金属管３２と、他の管と、他の管とは別の管とを備える。他の管には、シート巻付体構成金属管３２の一端が接続される。他の管とは別の管には、シート巻付体構成金属管３２の他端が接続される。シート巻付体構成金属管３２が、管状の金属製大径部４０と、管状の金属製小径部４２とを備える。金属製大径部４０は、次に述べられる内部空間５０を形成する。その内部空間５０は他の管の一端が挿入されるものである。金属製大径部４０に合成樹脂製シート１６が接続される。金属製小径部４２は、金属製大径部４０に連なる。金属製小径部４２は、次に述べられる内部空間５２を形成する。その内部空間５２は、金属製大径部４０の内部空間５０と連通する。金属製小径部４２の外径が金属製大径部４０の内径より小さい。金属製小径部４２は上述された他の管とは別の管の一端に挿入される。シート巻付体構成金属管３２は、内周塗膜６４，７４，８４と、金属製連通部４４とをさらに備える。内周塗膜６４，７４，８４は、金属製大径部４０の内周面から金属製小径部４２の内周面までの区間のいずれかの箇所を覆う。金属製連通部４４は、金属製小径部４２に近い箇所ほど窄まっている。金属製連通部４４は、金属製小径部４２の内部空間５２を金属製大径部４０の内部空間５０に連通させる。金属製連通部４４は、管状の連通路構造部７０と連通路内周メッキ層７２とを有する。連通路内周メッキ層７２は連通路構造部７０の内周面表面に設けられる。内周塗膜７４が、連通路内周メッキ層７２全体を覆う。
【発明の効果】
【００１４】
本発明によれば、合成樹脂製シートの巻き付け中に巻付体が突然折れたり曲がったりする可能性を低くできる。
【図面の簡単な説明】
【００１５】
【図１】本発明のある実施形態にかかるビニールハウスの外観図である。
【図２】本発明のある実施形態にかかる合成樹脂製シート巻付体の斜視図である。
【図３】本発明のある実施形態にかかるシート巻付体構成金属管の斜視図である。
【図４】本発明のある実施形態にかかるシート巻付体構成金属管の断面図である。
【発明を実施するための形態】
【００１６】
以下、図面を参照しつつ、本発明のある実施形態について説明する。以下の説明では、同一の部品には同一の符号を付してある。それらの名称及び機能も同一である。したがって、それらについての詳細な説明は繰返さない。
【００１７】
［構造の説明］
図１は、本実施形態にかかるビニールハウスの外観図である。図１に基づいて、本実施形態にかかるビニールハウスについて説明される。本実施形態にかかるビニールハウスは、骨組１０と、屋根シート１２と、妻部シート１４と、図示されない側面シートと、開閉シート１６と、支柱１８の対と、巻上装置２０の対と、合成樹脂製シート巻付体２２とを備える。
【００１８】
骨組１０は屋根シート１２と妻部シート１４と図示されない側面シートと開閉シート１６とそれらの上に載るものとの荷重を支える。本実施形態の場合、屋根シート１２は合成樹脂製である。屋根シート１２は本実施形態にかかるビニールハウスの屋根となる。屋根シート１２は雨氷のビニールハウス内への進入を防ぐ。妻部シート１４と側面シートと開閉シート１６とは、本実施形態にかかるビニールハウスの外壁となる。これらも雨氷のビニールハウス内への進入を防ぐ。本実施形態の場合、これらも合成樹脂製である。すなわち、これらは合成樹脂製シートである。支柱１８の対は骨組１０の傍に直立する。巻上装置２０は支柱１８に沿って上下する。巻上装置２０は合成樹脂製シート巻付体２２を回転させながらこれを上下させる。合成樹脂製シート巻付体２２には開閉シート１６の端が接続されている。合成樹脂製シート巻付体２２が回転しながら上下すると、開閉シート１６は合成樹脂製シート巻付体２２に巻付けられたり引き出されたりする。これに伴い、本実施形態にかかるビニールハウスの側面の図示されない開口が開いたり閉じたりする。その開口が開いたり閉じたりすることで、本実施形態にかかるビニールハウスを換気したり雨水の進入を防止したりすることが可能になる。
【００１９】
骨組１０と、屋根シート１２と、妻部シート１４と、図示されない側面シートと、開閉シート１６と、支柱１８の対と、巻上装置２０の対との構造は周知なので、ここではこれらの詳細な説明は繰り返されない。
【００２０】
図２は、本実施形態にかかる合成樹脂製シート巻付体２２の斜視図である。図２に基づいて、合成樹脂製シート巻付体２２の構成が説明される。本実施形態にかかる合成樹脂製シート巻付体２２は、１本の一端金属管３０と、複数本（本実施形態の場合は３本）のシート巻付体構成金属管３２と、１本の他端金属管３４とを有する。これらが互いに接続されることにより、合成樹脂製シート巻付体２２が形成される。一端金属管３０の一端は上述された巻上装置２０の一方に接続される。これらが互いに接続されるための具体的な構造は周知なので、ここではその説明は繰り返されない。一端金属管３０には、上述された開閉シート１６の一端の一部が接続される。接続のための具体的な構造は周知の合成樹脂製シート巻付体と同様なので、ここではその詳細な説明は繰り返されない。一端金属管３０の他端にはいずれかのシート巻付体構成金属管３２の一端が挿入される。必要に応じて、これらの接続箇所は、周知のビニールテープにより保護されることがある。複数本のシート巻付体構成金属管３２は互いに接続される。必要に応じて、これらの接続箇所も、周知のビニールテープにより保護されることがある。それぞれのシート巻付体構成金属管３２にも、上述された開閉シート１６の一端の一部が接続される。接続のための具体的な構造は周知の合成樹脂製シート巻付体と同様なので、ここではその詳細な説明は繰り返されない。他端金属管３４の一端はいずれかのシート巻付体構成金属管３２の一端に挿入される。必要に応じて、これらの接続箇所も、周知のビニールテープにより保護されることがある。他端金属管３４にも、上述された開閉シート１６の一端の一部が接続される。接続のための具体的な構造は周知の合成樹脂製シート巻付体と同様なので、ここではその詳細な説明は繰り返されない。他端金属管３４の他端は上述された巻上装置２０の他方に接続される。これらが互いに接続されるための具体的な構造は周知なので、ここではその説明は繰り返されない。
【００２１】
図３は、本実施形態にかかるシート巻付体構成金属管３２の斜視図である。図４は、本実施形態にかかるシート巻付体構成金属管３２の断面図である。図３及び図４に基づいて、シート巻付体構成金属管３２の構成が説明される。本実施形態にかかるシート巻付体構成金属管３２の素材は周知の鋼である。シート巻付体構成金属管３２は、管状の金属製大径部４０と、管状の金属製小径部４２と、管状の金属製連通部４４とを有する。本実施形態の場合、金属製大径部４０の形状は円筒状である。ただし、金属製大径部４０のうち金属製小径部４２とは反対側の端部は若干押し潰されている。本実施形態の場合、金属製大径部４０は内部空間５０を形成する。その内部空間５０には、他のシート巻付体構成金属管３２の金属製小径部４２、又は、他端金属管３４の一端が挿入される。金属製大径部４０の側面には上述された開閉シート１６の一端の一部が接続される。本実施形態の場合、金属製小径部４２の形状は押し潰された円筒のような形である。金属製小径部４２は内部空間５２を形成する。金属製小径部４２の外径は金属製大径部４０の内径より小さい。本実施形態の場合、金属製小径部４２は、一端金属管３０の他端（一端金属管３０の一端は上述された巻上装置２０の一方に接続される）、又は、他のシート巻付体構成金属管３２の金属製大径部４０の内部空間５０に挿入される。本実施形態の場合、金属製連通部４４は、金属製小径部４２に近い箇所ほど窄まっている。金属製連通部４４は、金属製小径部４２の内部空間５２を金属製大径部４０の内部空間５０に連通させる。本実施形態の場合、金属製大径部４０と金属製小径部４２と金属製連通部４４とは一体となっている。
【００２２】
金属製大径部４０は、大径構造部６０と大径内周メッキ層６２と大径内周塗膜部６４と大径外周メッキ層６６と大径外周塗膜部６８とを有する。大径構造部６０は荷重を支える。本実施形態の場合、大径構造部６０の素材は上述された鋼である。大径内周メッキ層６２は大径構造部６０の内周面表面に設けられる。大径内周メッキ層６２は大径構造部６０の内周面の腐食を防止する。本実施形態の場合、大径内周塗膜部６４は大径内周メッキ層６２全体を覆う。大径内周塗膜部６４は大径内周メッキ層６２を保護する。大径外周メッキ層６６は大径構造部６０の外周面表面に設けられる。大径外周メッキ層６６は大径構造部６０の外周面の腐食を防止する。本実施形態の場合、大径外周塗膜部６８は大径外周メッキ層６６全体を覆う。大径外周塗膜部６８は大径外周メッキ層６６を保護する。
【００２３】
金属製連通部４４は、連通路構造部７０と連通路内周メッキ層７２と連通路内周塗膜部７４と連通路外周メッキ層７６と連通路外周塗膜部７８とを有する。連通路構造部７０は荷重を支える。本実施形態の場合、連通路構造部７０の素材も上述された鋼である。連通路内周メッキ層７２は連通路構造部７０の内周面表面に設けられる。連通路内周メッキ層７２は連通路構造部７０の腐食を防止する。本実施形態の場合、連通路内周塗膜部７４は連通路内周メッキ層７２全体を覆う。連通路内周塗膜部７４は連通路内周メッキ層７２を保護する。連通路外周メッキ層７６は連通路構造部７０の外周面の腐食を防止する。本実施形態の場合、連通路外周塗膜部７８は連通路外周メッキ層７６全体を覆う。連通路外周塗膜部７８は連通路外周メッキ層７６を保護する。
【００２４】
金属製小径部４２は、小径構造部８０と小径内周メッキ層８２と小径内周塗膜部８４と小径外周メッキ層８６と小径外周塗膜部８８とを有する。小径構造部８０は荷重を支える。本実施形態の場合、小径構造部８０の素材も上述された鋼である。小径内周メッキ層８２は小径構造部８０の内周面表面に設けられる。小径内周メッキ層８２は小径構造部８０の腐食を防止する。本実施形態の場合、小径内周塗膜部８４は小径内周メッキ層８２全体を覆う。小径内周塗膜部８４は小径内周メッキ層８２を保護する。小径外周メッキ層８６は小径構造部８０の外周面の腐食を防止する。本実施形態の場合、小径外周塗膜部８８は小径外周メッキ層８６全体を覆う。小径外周塗膜部８８は小径外周メッキ層８６を保護する。
【００２５】
［製造方法の説明］
本実施形態にかかるシート巻付体構成金属管３２の製造方法は、構造部形成工程と、塗膜形成工程とを備える。
【００２６】
構造部形成工程は、周知の鋼板のうち表面がメッキされたものの一端を、図３に示された形状となるよう塑性加工する工程である。そのような塑性加工のための具体的な手順は周知である。したがって、ここではその詳細な説明は繰り返されない。
【００２７】
塗膜形成工程は、構造部形成工程において加工された鋼管の内周面に内周塗膜を形成する工程である。内周塗膜は、構造部形成工程において加工された鋼管の中に周知のノズルが挿入され、そのノズルからその鋼管の内周面に塗料が吹き付けられ、その塗料が乾燥することにより形成される。ノズルは、例えば細長いアームの先端に固定されている。上述された鋼管の中にそのノズルが挿入される場合、そのノズルはそのアームごと鋼管の中に挿入される。ノズルには塗料供給用の管が接続されている。その管によってノズルに塗料が供給される。本実施形態の場合、塗料はその鋼管の一端から他端まで一様に吹き付けられる。これにより、本実施形態の場合、大径内周塗膜部６４と連通路内周塗膜部７４と小径内周塗膜部８４とは一体になる。
【００２８】
本実施形態の場合、一端金属管３０および他端金属管３４も、シート巻付体構成金属管３２と同様の方法により製造される。これらの製造方法とシート巻付体構成金属管３２の製造方法との相違点は、構造部形成工程において各々の構造に応じた加工が施される点である。これらの加工の具体的な内容は周知の巻付体を構成する管と同様である。したがって、ここではその詳細な説明は繰り返されない。
【００２９】
［使用方法の説明］
本実施形態にかかる一端金属管３０とシート巻付体構成金属管３２と他端金属管３４とは、図２に示されるように接続される。それらが接続されたものが合成樹脂製シート巻付体２２である。この合成樹脂製シート巻付体２２は、周知の巻付体と同様の方法で使用される。その方法は周知である。したがって、ここではその詳細な説明は繰り返されない。
【００３０】
［本実施形態にかかるおよび合成樹脂製シート巻付体の効果］
以上のようにして、本実施形態にかかるシート巻付体構成金属管３２では、大径内周塗膜部６４と連通路内周塗膜部７４と小径内周塗膜部８４とは金属製大径部４０の内周面から金属製小径部４２の内周面までの区間を覆う。金属製大径部４０の内周面から金属製小径部４２の内周面までの区間は、大径内周塗膜部６４と連通路内周塗膜部７４と小径内周塗膜部８４とに覆われると、そうでない場合に比べ、雨水その他の水が浸入しても腐食しにくくなる。腐食しにくくなると、その腐食に起因する強度低下が生じにくくなる。腐食に起因する強度低下が生じにくいと、それが生じやすい場合に比べ、シート巻付体構成金属管３２は突然折れたり曲がったりしにくくなる。シート巻付体構成金属管３２を一部とする合成樹脂製シート巻付体２２は、そうでない合成樹脂製シート巻付体に比べ、突然折れたり曲がったりする可能性が低くなる。その結果、合成樹脂製シートの巻き付け中に合成樹脂製シート巻付体が突然折れたり曲がったりする可能性を低くできる。
【００３１】
また、金属製小径部４２は、金属製大径部４０に比べてねじりに起因する変形が生じやすくなる。外径が小さいためである。小径内周メッキ層８２が小径内周塗膜部８４で覆われていると、小径内周メッキ層８２が設けられていない場合に比べ、腐食が生じにくくなる。腐食が生じにくいと、腐食に起因する強度低下が生じにくくなる。
【００３２】
また、金属製小径部４２に加えて金属製大径部４０でも腐食に起因する強度低下が生じにくくなると、そうでない場合に比べ、腐食に起因する強度低下が生じにくくなる。
【００３３】
<変形例の説明>
今回開示された実施形態はすべての点で例示である。本発明の範囲は上述した実施形態に基づいて制限されるものではない。もちろん、本発明の趣旨を逸脱しない範囲で種々の設計変更をしてもよい。
【００３４】
例えば、シート巻付体構成金属管は、大径内周メッキ層６２と、小径内周メッキ層８２とのうちいずれかを有していなくてもよい。シート巻付体構成金属管は、大径内周塗膜部６４と、小径内周塗膜部８４とのうちいずれかを有していなくてもよい。
【００３５】
シート巻付体構成金属管の素材は、鋼に限定されない。例えば、シート巻付体構成金属管はアルミニウム合金その他の金属であってもよい。たただしシート巻付体構成金属管の素材は金属である。
【００３６】
塗膜形成工程の具体的な内容は上述したものに限定されない。また、鋼管の内周面に吹き付けられる塗料は特に限定されない。
【符号の説明】
【００３７】
１０…骨組
１２…屋根シート
１４…妻部シート
１６…開閉シート
１８…支柱
２０…巻上装置
２２…合成樹脂製シート巻付体
３０…一端金属管
３２…シート巻付体構成金属管
３４…他端金属管
４０…金属製大径部
４２…金属製小径部
４４…金属製連通部
５０，５２…内部空間
６０…大径構造部
６２…大径内周メッキ層
６４…大径内周塗膜部
６６…大径外周メッキ層
６８…大径外周塗膜部
７０…連通路構造部
７２…連通路内周メッキ層
７４…連通路内周塗膜部
７６…連通路外周メッキ層
７８…連通路外周塗膜部
８０…小径構造部
８２…小径内周メッキ層
８４…小径塗膜部
８６…小径外周メッキ層
８８…小径外周塗膜部
【図１】
2019107008.tif 000003
【図２】
2019107008.tif 000004
【図３】
2019107008.tif 000005
【図４】
2019107008.tif 000006